(57)【特許請求の範囲】
【請求項１】
入力信号についてのパラメータの値を座標上の各ポイントにそれぞれプロットした線図を表示部に表示させる制御部を備えた表示制御装置であって、
前記制御部は、所定の設定条件を満たした前記パラメータの値がプロットされる前記座標上の前記ポイントを含む前記線図の一部を他の部分とは識別可能に前記表示部に表示させる強調表示処理を実行して、当該ポイントと当該ポイントに隣接する他のポイントとを結んだ線分を前記線図の前記一部として前記他の部分とは識別可能に表示させる表示制御装置。
【請求項２】
入力信号についての第１のパラメータの値を座標上の各ポイントにそれぞれプロットした線図を表示部に表示させる制御部を備えた表示制御装置であって、
前記制御部は、所定の設定条件を満たした前記入力信号についての第２のパラメータの値に関連付けられる前記第１のパラメータの値がプロットされる前記座標上の前記ポイントを含む前記線図の一部を他の部分とは識別可能に前記表示部に表示させる強調表示処理を実行して、当該ポイントと当該ポイントに隣接する他のポイントとを結んだ線分を前記線図の前記一部として前記他の部分とは識別可能に表示させる表示制御装置。
【請求項３】
前記制御部は、前記入力信号に含まれる各周波数成分の位相を前記第１のパラメータの値として前記座標上の各ポイントにそれぞれプロットした位相スペクトラムを示す位相スペクトラム図を前記線図として表示させると共に、前記周波数成分の振幅を前記第２のパラメータの値として前記強調表示処理を実行する請求項２記載の表示制御装置。
【請求項４】
前記制御部は、前記強調表示処理として、前記線図の前記一部を前記他の部分とは異なる表示色で表示させる請求項１から３のいずれかに記載の表示制御装置。
【発明の詳細な説明】
【技術分野】
【０００１】
本発明は、入力信号についてのパラメータの値を座標上にプロットした線図を表示可能に構成された表示制御装置に関するものである。
【背景技術】
【０００２】
この種の表示制御装置として、特開平７−４３４０３号公報において出願人が開示したＦＦＴ（高速フーリエ変換）アナライザが知られている。このＦＦＴアナライザは、入力信号（アナログ信号）をデジタルデータ（デジタル信号）に変換するＡ／Ｄ変換器、デジタルデータを記憶するＲＡＭ、プログラムが書き込まれたＲＯＭ、プログラムに従ってデジタルデータについてＦＦＴ演算を行うＣＰＵ、ＦＦＴ演算によって得られたデータに基づくスペクトラムを示すスペクトラム図（線図）を表示するディスプレイ等を備えて構成されている。
【特許文献１】特開平７−４３４０３号公報（第２頁、第１−２図）
【発明の開示】
【発明が解決しようとする課題】
【０００３】
ところが、上記のＦＦＴアナライザには、改善すべき以下の課題がある。すなわち、このＦＦＴアナライザでは、ＦＦＴ演算によって得られたデータに基づくスペクトラムを示すスペクトラム図がディスプレイに表示される。一方、スペクトラムには、入力信号における周波数毎の振幅（パラメータの値）を示すパワースペクトラムや、入力信号における周波数毎の位相を示す位相スペクトラムが存在し、これらのスペクトラムを示すスペクトラム図を観察することにより、入力信号の特性の解析を多面的に行うことができる。具体的には、例えば、パワースペクトラムを示すパワースペクトラム図を観察して大きなピークとして現れた周波数成分の周波数やその成分の振幅を特定することにより、入力信号に含まれる主な周波数成分を解析することができる。また、位相スペクトラムを示す位相スペクトラム図を観察して、パワースペクトラム図において大きなピークとして現れた周波数成分の位相を特定することにより、入力信号に含まれる主な周波数成分の波形の特徴等を解析することができる。
【０００４】
しかしながら、位相スペクトラム図は、一般的に、パラメータの値としての位相が激しく変化するために、その線分が込み入って見難い線図となる。このため、特定すべき周波数成分の位相を示す部分と他の部分とを判別するのがやや困難な結果、位相の特定に長時間を要することがある。したがって、上記のＦＦＴアナライザでは、この種の線図を観察して入力信号の特性を解析する際の作業効率を向上させるのが困難であり、この点の改善が望まれている。
【０００５】
本発明は、かかる改善すべき課題に鑑みてなされたものであり、入力信号の特性を解析する際の作業効率を向上し得る表示制御装置を提供することを主目的とする。
【課題を解決するための手段】
【０００６】
上記目的を達成すべく請求項１記載の表示制御装置は、入力信号についてのパラメータの値を座標上の各ポイントにそれぞれプロットした線図を表示部に表示させる制御部を備えた表示制御装置であって、前記制御部は、所定の設定条件を満たした前記パラメータの値がプロットされる前記座標上の前記ポイントを含む前記線図の一部を他の部分とは識別可能に前記表示部に表示させる強調表示処理を実行して、当該ポイントと当該ポイントに隣接する他のポイントとを結んだ線分を前記線図の前記一部として前記他の部分とは識別可能に表示させる。
【０００７】
また、請求項２記載の表示制御装置は、入力信号についての第１のパラメータの値を座標上の各ポイントにそれぞれプロットした線図を表示部に表示させる制御部を備えた表示制御装置であって、前記制御部は、所定の設定条件を満たした前記入力信号についての第２のパラメータの値に関連付けられる前記第１のパラメータの値がプロットされる前記座標上の前記ポイントを含む前記線図の一部を他の部分とは識別可能に前記表示部に表示させる強調表示処理を実行して、当該ポイントと当該ポイントに隣接する他のポイントとを結んだ線分を前記線図の前記一部として前記他の部分とは識別可能に表示させる。
【０００８】
また、請求項３記載の表示制御装置は、請求項２記載の表示制御装置において、前記制御部は、前記入力信号に含まれる各周波数成分の位相を前記第１のパラメータの値として前記座標上の各ポイントにそれぞれプロットした位相スペクトラムを示す位相スペクトラム図を前記線図として表示させると共に、前記周波数成分の振幅を前記第２のパラメータの値として前記強調表示処理を実行する。
【００１０】
また、請求項４記載の表示制御装置は、請求項１から３のいずれかに記載の表示制御装置において、前記制御部は、前記強調表示処理として、前記線図の前記一部を前記他の部分とは異なる表示色で表示させる。
【発明の効果】
【００１１】
請求項１記載の表示制御装置によれば、制御部が、設定条件を満たしたパラメータの値がプロットされる座標上のポイントと、そのポイントに隣接する他のポイントとを結んだ線分（線図の一部）を他の部分とは識別可能に表示部に表示させる強調表示処理を実行することにより、パラメータの値が激しく変化するために、線分が込み入って見難い線図においても、ユーザーに対して、特定すべきパラメータの値を示す部分を他の部分と明確に識別させることができる。このため、ユーザーは、そのパラメータの値を確実かつ容易に読み取ることができる。したがって、この表示制御装置によれば、この種の線図におけるパラメータの値の特定を短時間で行うことができる結果、入力信号を解析する際の作業効率を十分に向上させることができる。また、例えば、ポイントだけを強調表示する構成と比較して、ユーザーに対して、強調表示する部分と他の部分とを一層明確に識別させることができる。
【００１２】
また、請求項２記載の表示制御装置によれば、制御部が、設定条件を満たした入力信号についての第２のパラメータの値に関連付けられる第１のパラメータの値がプロットされる座標上のポイントと、そのポイントに隣接する他のポイントとを結んだ線分（線図の一部）を他の部分とは識別可能に表示部に表示させる強調表示処理を実行することにより、例えば、第１のパラメータの値をプロットした線図を表示させて、設定条件を満たした第２のパラメータの値に関連付けられる第１のパラメータの値をその線図Ｐｓを観察することによって特定するような入力信号に対する多面的な分析を行う際に、第１のパラメータの値が激しく変化するために、線分が込み入って見難いときであっても、ユーザーに対して、特定すべき第１のパラメータの値を示す部分を他の部分と明確に識別させることができる。このため、ユーザーは、その第１のパラメータの値を確実かつ容易に読み取ることができる。したがって、この表示制御装置によれば、この種の分析における作業効率を十分に向上させることができる。また、例えば、ポイントだけを強調表示する構成と比較して、ユーザーに対して、強調表示する部分と他の部分とを一層明確に識別させることができる。
【００１３】
また、請求項３記載の表示制御装置によれば、制御部が、入力信号に含まれる各周波数成分の位相を第１のパラメータの値として座標上の各ポイントにそれぞれプロットした位相スペクトラムを示す位相スペクトラム図を表示させると共に、周波数成分の振幅を第２のパラメータの値として強調表示処理を実行することにより、例えば、その振幅が所定値以上の周波数成分の位相を位相スペクトラム図を観察することによって特定する際に、振幅がその所定値以上であることを設定条件として設定することで、一般的には線分が込み入って見難い位相スペクトラム図においても、ユーザーに対して、振幅が所定値以上の周波数成分の位相を示す部分を他の部分と明確に識別させることができる。このため、位相スペクトラム図を観察して入力信号を解析する際の作業効率を十分に向上させることができる。
【００１５】
また、請求項４記載の表示制御装置によれば、制御部が、強調表示処理として、線図の一部を他の部分とは異なる表示色で表示させることにより、ポイントの大きさや線分の太さだけを他の部分と異ならせる構成と比較して、ユーザーに対して、強調表示する部分と他の部分とをさらに明確に識別させることができる。
【発明を実施するための最良の形態】
【００１６】
以下、本発明に係る表示制御装置の最良の形態について、添付図面を参照して説明する。
【００１７】
最初に、波形表示装置１の構成について、図面を参照して説明する。
【００１８】
図１に示す波形表示装置１は、本発明に係る表示制御装置と本発明における表示部とを一体的に構成した表示装置の一例であって、入力信号Ｓｉ（一例として、電圧信号）の特性を示す特性図を表示可能に構成されている。具体的には、波形表示装置１は、入力信号処理部１１、ストレージメモリ１２、記憶部１３、演算部１４、表示部１５、操作部１６、ＲＡＭ１７および制御部１８を備えて構成されている。この場合、入力信号処理部１１、ストレージメモリ１２、記憶部１３、演算部１４、操作部１６、ＲＡＭ１７および制御部１８によって本発明に係る表示制御装置が構成される。
【００１９】
入力信号処理部１１は、Ａ／Ｄコンバータを備えて構成され、制御部１８の制御に従い、入力信号Ｓｉについてのパラメータの値（例えば、電圧値）を所定の周期でサンプリングしてサンプリングデータＤｓを出力する。ストレージメモリ１２は、入力信号処理部１１から出力されて制御部１８によって転送されるサンプリングデータＤｓや、演算部１４から出力される処理データＤｐを記憶する。記憶部１３は、演算部１４によって実行される演算処理に用いられる演算用データＤｏや制御部１８の動作プログラム等を記憶する。演算部１４は、制御部１８の制御に従い、記憶部１３に記憶されている演算用データＤｏを用いて、ストレージメモリ１２に記憶されているサンプリングデータＤｓに対して（つまり入力信号Ｓｉに対して）、例えばＦＦＴ演算等の所定の演算処理を実行して、処理データＤｐを出力する。
【００２０】
表示部１５は、図２に示すように、波形表示装置１における本体部２の正面パネルに配置されたＬＣＤパネルを備えて構成され、制御部１８から出力される表示データＤｄに基づく各種の画像を表示する。操作部１６は、各種のスイッチやダイヤル等を備えて構成されて、本体部２の正面パネルに配置されている。また、操作部１６は、スイッチやダイヤルが操作されたときに操作信号Ｓｏを出力する。ＲＡＭ１７は、制御部１８によって実行される強調表示処理５０（図５参照）において制御部１８によって生成される検索結果データＤｒを記憶する。
【００２１】
制御部１８は、操作部１６から出力される操作信号Ｓｏに従って各種の処理を実行する。この場合、制御部１８は、入力信号処理部１１を制御してサンプリングデータＤｓを出力させると共に、そのサンプリングデータＤｓをストレージメモリ１２に記憶させる。また、制御部１８は、演算部１４を制御して、サンプリングデータＤｓに対する各種の演算処理を実行させると共に、演算処理によって演算部１４から出力される処理データＤｐをストレージメモリ１２に記憶させる。
【００２２】
さらに、制御部１８は、サンプリングデータＤｓや処理データＤｐに基づいて表示データＤｄを生成して表示部１５に出力することにより、入力信号Ｓｉについてのパラメータの値（例えば、電圧値や、入力信号Ｓｉに含まれる各周波数成分の位相）を直交座標（本発明における座標の一例）上にプロットした１つまたは複数の線図（図３，４，７〜１０に示すパワースペクトラム図Ｐｓ１、位相スペクトラム図Ｐｓ２および信号波形図Ｐｓ３：以下、区別しないときには「線図Ｐｓ」ともいう）を表示部１５に表示させる。この場合、制御部１８は、操作部１６におけるスイッチの操作によって後述する強調表示モードが選択されたときには、図５に示す強調表示処理５０を実行することにより、線図Ｐｓの一部を他の部分とは識別可能に強調させた状態で表示させる。
【００２３】
次に、入力信号Ｓｉの特性を示す特性図としての線図Ｐｓを表示させる際の波形表示装置１の全体的な動作について説明する。
【００２４】
まず、操作部１６のスイッチを操作して入力信号Ｓｉ（例えば、電圧信号）の記録を開始させる。この際に、制御部１８が操作部１６から出力される操作信号Ｓｏに従って入力信号処理部１１を制御することにより、入力信号ＳｉについてのサンプリングデータＤｓを出力させる。また、制御部１８は、入力信号処理部１１から出力されたサンプリングデータＤｓをストレージメモリ１２に記憶（記録）させる。
【００２５】
次に、横軸（Ｘ軸）を周波数とし、縦軸（Ｙ軸）を振幅とする直交座標上の各ポイントに入力信号Ｓｉについてのパラメータの値（例えば、入力信号Ｓｉの各周波数における電圧値：本発明における第２のパラメータの値）をプロットしたパワースペクトラム図Ｐｓ１を表示させるときには、操作部１６のスイッチを操作して、パワースペクトラム図Ｐｓ１を表示させるための表示条件を設定する。この際に、制御部１８は、操作信号Ｓｏに従って演算部１４を制御して、ストレージメモリ１２および記憶部１３からサンプリングデータＤｓおよび演算用データＤｏを読み出させると共に、演算用データＤｏを用いたサンプリングデータＤｓに対する演算処理を実行させる。この場合、演算部１４は、演算処理としてのＦＦＴ演算を実行して、処理データＤｐを出力する。続いて、制御部１８は、処理データＤｐに基づき、パワースペクトラム図Ｐｓ１を表示させるための表示データＤｄを生成して表示部１５に出力する。これにより、図３に示すように、パワースペクトラム図Ｐｓ１が表示部１５に表示される。
【００２６】
次に、横軸（Ｘ軸）を周波数とし、縦軸（Ｙ軸）を位相とする直交座標上の各ポイントに入力信号Ｓｉについてのパラメータの値（例えば、入力信号Ｓｉに含まれる各周波数成分の位相：本発明における第１のパラメータの値）をプロットした位相スペクトラム図Ｐｓ２を表示させるときには、操作部１６のスイッチを操作して、位相スペクトラム図Ｐｓ２を表示させるための表示条件を設定する。この際に、制御部１８は、操作信号Ｓｏに従い、上記の動作と同様にして、位相スペクトラム図Ｐｓ２を表示させるための表示データＤｄを処理データＤｐに基づいて生成して、表示部１５に出力する。これにより、図４に示すように、位相スペクトラム図Ｐｓ２が表示部１５に表示される。
【００２７】
ここで、例えば、図３に示すように、パワースペクトラム図Ｐｓ１において大きなピークＰｅ１，Ｐｅ２，Ｐｅ３（以下、区別しないときには「ピークＰｅ」ともいう）として現れた周波数成分の位相を特定するときには、位相スペクトラム図Ｐｓ２を観察して、各ピークＰｅの周波数に対応する位相の値を読み取る。この場合、図４に示すように、位相スペクトラム図Ｐｓ２における位相が激しく変化するために、線分が込み入って特定すべき位相の値の読み取りが困難なときには、操作部１６のスイッチを操作して強調表示モードを選択する。この際に、制御部１８は、操作信号Ｓｏに従って表示部１５を制御して、図６に示す設定条件入力画面Ｐｉを表示させる。
【００２８】
次に、操作部１６のスイッチを操作して、位相スペクトラム図Ｐｓ２内における強調表示させる部分を設定するための設定条件を設定条件入力画面Ｐｉ内に入力する。この場合、図３に示すように、例えば、パワースペクトラム図Ｐｓ１における最大のピークＰｅ（同図に示すピークＰｅ１）の値（振幅）に対して７５％に相当する値を下限値として、その値がこの下限値以上のピークとして現れた周波数成分の位相を特定する際には、その旨を示す設定条件を入力する。具体的には、一例として、図６に示すように、設定条件入力画面Ｐｉ内における「範囲指定方法」の欄で「設定値以上」を選択する。次いで、「設定値」の欄で「MAX×75%」を選択する。この場合、「設定値」の欄に振幅（電圧値）を例えばＶ単位やｍＶ単位で数値入力することもできる。また、振幅（縦軸）の単位をｄＢで表示させるときには、振幅をｄＢ単位で数値入力することもできる。
【００２９】
続いて、制御部１８は、操作信号Ｓｏに従い、図５に示す強調表示処理５０を実行する。この強調表示処理５０では、制御部１８は、ＲＡＭ１７に記憶されている検索結果データＤｒをクリア（消去）させる（ステップ５１）。次いで、制御部１８は、演算部１４を制御して、ストレージメモリ１２および記憶部１３からサンプリングデータＤｓおよび演算用データＤｏを読み出させると共に（ステップ５２）、演算用データＤｏを用いたサンプリングデータＤｓに対するＦＦＴ演算を実行させる（ステップ５３）。
【００３０】
続いて、制御部１８は、処理データＤｐに基づき、入力信号Ｓｉに含まれる各周波数成分におけるパラメータの値（この場合、電圧値）を算出すると共に（ステップ５４）、上記した設定条件を満たすパラメータの値を特定する。具体的には、制御部１８は、算出したパラメータの値の最大値、つまりパワースペクトラム図Ｐｓ１において最大のピークＰｅとして現れる周波数成分を検索する（ステップ５５）。次いで、その値が最大のピークＰｅの値に対して７５％に相当する値（つまり、上記した下限値）以上のピークＰｅを検索する（ステップ５６）。続いて、制御部１８は、検索結果を検索結果データＤｒとしてＲＡＭ１７に記憶させる（ステップ５７）。
【００３１】
次いで、制御部１８は、位相スペクトラム図Ｐｓ２を強調表示させるための表示データＤｄを検索結果データＤｒおよび処理データＤｐに基づいて生成して、表示部１５に出力する（ステップ５８）。これにより、図７に示すように、位相スペクトラム図Ｐｓ２が表示部１５に強調表示される。
【００３２】
この場合、この位相スペクトラム図Ｐｓ２では、上記の強調表示処理５０におけるステップ５６で検索したパラメータの値、つまり、入力信号Ｓｉにおける各周波数成分のうちの、電圧値（第２のパラメータの値）が設定条件を満たした周波数成分の位相（第２のパラメータの値に関連付けられた第１のパラメータの値）に対応する直交座標上の対応ポイント（図７に示すポイントＰｏ１，Ｐｏ２，Ｐｏ３：以下、区別しないときには「ポイントＰｏ」ともいう）が他の部分と識別可能に大きく強調表示される。また、各ポイントＰｏに隣接する他のポイントと各ポイントＰｏとを結んだ線分Ｌ（同図に示す線分Ｌ１，Ｌ２，Ｌ３）が他の線分と識別可能に太く強調表示される。また、これらの線分Ｌおよび各ポイントＰｏが例えば赤の色相で表示されると共に、位相スペクトラム図Ｐｓ２における他の部分が例えば緑の色相で表示される。つまり、線分Ｌおよび各ポイントＰｏが位相スペクトラム図Ｐｓ２における他の部分とは異なる色相（本発明における表示色の一例）で表示される。
【００３３】
したがって、この波形表示装置１では、図７に示すように、パラメータの値としての位相が激しく変化するために、その線分が込み入って見難い位相スペクトラム図Ｐｓ２においても、特定すべき周波数成分の位相を示す部分（本発明における線図の一部）を他の部分とは明確に識別することが可能となるため、その周波数成分の位相を確実に読み取ることが可能となる。この結果、この波形表示装置１では、入力信号Ｓｉを解析する際の作業効率の向上が可能となる。
【００３４】
一方、この波形表示装置１では、操作部１６を操作することにより、図８に示すように、上記したパワースペクトラム図Ｐｓ１を表示させた画面内に位相スペクトラム図Ｐｓ２を同時に表示させると共に、その位相スペクトラム図Ｐｓ２を強調表示させることもできる。また、図９に示すように、パワースペクトラム図Ｐｓ１を表示させた画面内に、入力信号Ｓｉの信号波形図Ｐｓ３および位相スペクトラム図Ｐｓ２を同時に表示させると共に、その位相スペクトラム図Ｐｓ２を強調表示させることも可能となっている。この場合、この表示形態では、表示切替操作を行うことなく、両スペクトラム図Ｐｓ１，Ｐｓ２同士の比較や、両スペクトラム図Ｐｓ１，Ｐｓ２および信号波形図Ｐｓ３の比較が容易となるため、入力信号Ｓｉを解析する際の作業効率のより一層の向上が可能となる。
【００３５】
また、この波形表示装置１では、例えば、上記したパワースペクトラム図Ｐｓ１におけるパラメータの値としての振幅（上記の例では電圧値）が激しく変化するために、その線分が込み入ってパワースペクトラム図Ｐｓ１が見難い線図となっているときには、その振幅が所定値（例えば、図１０に示す下限値）以上のピーク（例えば、同図に示すピークＰｅ１，Ｐｅ２，Ｐｅ３）として現れるパワースペクトラム図Ｐｓ１における線図の一部を強調表示することによってこれらのピークＰｅ１，Ｐｅ２，Ｐｅ３を見易く表示することもできる。この場合には、上記した設定条件の入力操作と同様にして、設定条件入力画面Ｐｉ内に設定条件を入力する。この際には、制御部１８が操作信号Ｓｏに従って強調表示処理５０と同様の処理を実行することにより、同図に示すように、その振幅が所定値以上のピークＰｅ１，Ｐｅ２，Ｐｅ３、つまり設定条件を満たしたパラメータの値がプロットされる座標上のポイントを含むパワースペクトラム図Ｐｓ１における線図の一部が強調表示される。
【００３６】
このように、この波形表示装置１によれば、制御部１８が、設定条件を満たした入力信号Ｓｉについてのパラメータの値がプロットされる座標上のポイントＰｏを含む線図Ｐｓの一部を他の部分とは識別可能に表示部１５に表示させる強調表示処理５０を行うことにより、パラメータの値が激しく変化するために、その線分が込み入って見難い線図Ｐｓにおいても、ユーザーに対して、特定すべきパラメータの値を示す部分を他の部分と明確に識別させることができる。このため、ユーザーは、そのパラメータの値を確実かつ容易に読み取ることができる。したがって、この波形表示装置１によれば、この種の線図Ｐｓにおけるパラメータの値の特定を短時間で行うことができる結果、入力信号Ｓｉを解析する際の作業効率を十分に向上させることができる。
【００３７】
また、この波形表示装置１によれば、制御部１８が、設定条件を満たした入力信号Ｓｉについての第２のパラメータの値に関連付けられる第１のパラメータの値がプロットされる座標上のポイントＰｏを含む線図Ｐｓの一部を他の部分とは識別可能に表示部１５に表示させる強調表示処理５０を実行することにより、例えば、第１のパラメータの値をプロットした線図Ｐｓを表示させて、設定条件を満たした第２のパラメータの値に関連付けられる第１のパラメータの値をその線図Ｐｓを観察することによって特定するような入力信号Ｓｉに対する多面的な分析を行う際に、第１のパラメータの値が激しく変化するために、その線分が込み入って見難いときであっても、ユーザーに対して、特定すべき第１のパラメータの値を示す部分を他の部分と明確に識別させることができる。このため、ユーザーは、その第１のパラメータの値を確実かつ容易に読み取ることができる。したがって、この波形表示装置１によれば、この種の分析における作業効率を十分に向上させることができる。
【００３８】
また、この波形表示装置１によれば、制御部１８が、入力信号Ｓｉに含まれる各周波数成分の位相を第１のパラメータの値として座標上の各ポイントにそれぞれプロットした位相スペクトラム図Ｐｓ２を表示させると共に、各周波数成分の振幅を第２のパラメータの値として強調表示処理５０を実行することにより、例えば、各周波数成分の振幅を座標上にプロットしたパワースペクトラム図Ｐｓ１において大きなピークとして現れた周波数成分の位相を、位相スペクトラム図Ｐｓ２を観察することによって特定する際に、振幅（電圧値）が所定値（上記した下限値）以上であることを設定条件として設定することで、一般的には線分が込み入って見難い位相スペクトラム図Ｐｓ２においても、ユーザーに対して、下限値以上の周波数成分の位相を示す部分を他の部分と明確に識別させることができる。このため、位相スペクトラム図Ｐｓ２を観察して入力信号Ｓｉを解析する際の作業効率を十分に向上させることができる。
【００３９】
また、この波形表示装置１によれば、制御部１８がポイントＰｏに隣接する他のポイントとそのポイントＰｏとを結んだ線分Ｌを強調表示することにより、例えば、ポイントＰｏだけを強調表示する構成と比較して、ユーザーに対して、強調表示する部分と他の部分とを一層明確に識別させることができる。
【００４０】
さらに、この波形表示装置１によれば、制御部１８が、強調表示する部分を他の部分とは異なる表示色で表示させることにより、ポイントＰｏの大きさや線分Ｌの太さだけを他の部分と異ならせる構成と比較して、ユーザーに対して、強調表示する部分と他の部分とをさらに明確に識別させることができる。
【００４１】
なお、本発明は、上記の構成に限定されない。例えば、位相スペクトラム図Ｐｓ２を強調表示する例について上記したが、パワースペクトラム図Ｐｓ１や信号波形図Ｐｓ３を強調表示することもできる。また、線図としてのパワースペクトラム図Ｐｓ１、位相スペクトラム図Ｐｓ２および信号波形図Ｐｓ３を表示する例について上記したが、本発明における線図には、ニコルス線図、ボード線図およびコクアド線図等の各種の線図が含まれる。また、入力信号Ｓｉについてのパラメータの値を極座標上にプロットしたナイキスト線図等の極座標線図も本発明における線図に含まれる。
【００４２】
また、線図ＰｓにおけるポイントＰｏおよび線分Ｌと他の部分とを互いに異なる色相で表示する例について上記したが、両者を互いに異なる明度や彩度（いずれも本発明における表示色）で表示することもできる。また、各線分Ｌおよび各ポイントＰｏのみを表示させたり（つまり他の部分を非表示にさせる）弱めたりして他の部分と識別可能に表示させることによってこれらを強調表示する構成を採用することもできる。
【００４３】
加えて、本発明に係る表示制御装置と表示部とを一体的に構成した波形表示装置１について説明したが、外部装置としての表示装置（表示部）に上記のパワースペクトラム図Ｐｓ１、位相スペクトラム図Ｐｓ２および信号波形図Ｐｓ３等を表示可能に構成された各種の表示制御装置に本発明を適用することができる。
【図面の簡単な説明】
【００４４】
【図１】波形表示装置１の構成を示す構成図である。
【図２】波形表示装置１の正面図である。
【図３】パワースペクトラム図Ｐｓ１を表示している状態の表示画面図である。
【図４】位相スペクトラム図Ｐｓ２を表示している状態の表示画面図である。
【図５】強調表示処理５０のフローチャートである。
【図６】設定条件入力画面Ｐｉを表示している状態の表示画面図である。
【図７】位相スペクトラム図Ｐｓ２を強調表示している状態の表示画面図である。
【図８】パワースペクトラム図Ｐｓ１および強調表示している位相スペクトラム図Ｐｓ２を表示させた表示画面図である。
【図９】パワースペクトラム図Ｐｓ１、信号波形図Ｐｓ３、および強調表示している位相スペクトラム図Ｐｓ２を表示させた表示画面図である。
【図１０】強調表示しているパワースペクトラム図Ｐｓ１を表示させた表示画面図である。
【符号の説明】
【００４５】
１  波形表示装置
１５  表示部
１６  操作部
１８  制御部
Ｌ１，Ｌ２，Ｌ３  線分
Ｐｏ１，Ｐｏ２，Ｐｏ３  ポイント
Ｐｓ１  パワースペクトラム図
Ｐｓ２  位相スペクトラム図
Ｐｓ３  信号波形図
Ｓｉ  入力信号
【図１】
0004811921.tif 000002
【図２】
0004811921.tif 000003
【図３】
0004811921.tif 000004
【図４】
0004811921.tif 000005
【図５】
0004811921.tif 000006
【図６】
0004811921.tif 000007
【図７】
0004811921.tif 000008
【図８】
0004811921.tif 000009
【図９】
0004811921.tif 000010
【図１０】
0004811921.tif 000011